(57)【要約】【課題】浴槽水の循環による除菌機能を有する風呂システムにおいて、除菌機能の確保と、除菌灯の長寿命化との両立を図る。【解決手段】浴槽８内の循環アダプタ８１と接続された追焚循環路には、循環ポンプ３３の作動によって、浴槽水の循環経路を形成することができる。ＵＶユニット７０は追焚循環路に配置されて、ＵＶ灯７１の点灯により、ＵＶユニット７０を通過する浴槽水を除菌する。コントローラ１００は、循環ポンプ３３が作動した状態における浴槽水の循環流量、および、浴槽８内の浴槽水量の少なくとも一方に基づいて、循環流量が多いほど、または、浴槽水量が少ないほど、除菌運転中におけるＵＶ灯の点灯時間の比率を低下させるようにＵＶ灯７１を制御する。【選択図】図１
2018054180.tif 000002
【特許請求の範囲】
【請求項１】
浴槽に設けられた吸込口および吐出口と接続されて浴槽水を循環するように構成された追焚循環路と、
前記追焚循環路に含まれるように配置されて、点灯時に除菌効果を有する波長域の光線を照射する除菌灯と、
前記追焚循環路に前記浴槽水を循環させるための循環ポンプと、
前記除菌灯を用いて前記追焚循環路を通過する前記浴槽水を除菌するための除菌運転において、前記循環ポンプの作動および停止と、前記除菌灯の点灯および消灯とを制御する制御装置とを備え、
前記除菌灯は、前記除菌運転中において、点灯時間に加えて消灯時間を設けることが可能であるように制御され、
前記制御装置は、前記追焚循環路における前記浴槽水の循環流量と、前記浴槽内の浴槽水量との少なくとも一方に基づいて、前記循環流量が多いほど、または、前記浴槽水量が少ないほど、前記除菌運転中における前記除菌灯の前記点灯時間および前記消灯時間の和に対する前記点灯時間の比率を低下させるように前記除菌灯を制御する、風呂システム。
【請求項２】
前記除菌灯は、点灯期間および消灯期間を繰り返すように間欠的に点灯され、
前記制御装置は、
前記循環ポンプを作動させた状態での前記循環流量を検出するための第１の検出手段と、
前記第１の検出手段によって検出された前記循環流量に基づいて、前記循環流量が多いほど、点灯期間長および消灯期間長の和に対する前記点灯期間長の比率を低下するように前記除菌灯を制御するための制御手段とを含む、請求項１記載の風呂システム。
【請求項３】
前記除菌灯は、点灯期間および消灯期間を繰り返すように間欠的に点灯され、
前記制御装置は、
前記浴槽水量を検出するための第２の検出手段と、
前記第２の検出手段によって検出された前記浴槽水量に基づいて、前記浴槽水量が少ないほど、点灯期間長および消灯期間長の和に対する前記点灯期間長の比率を低下するように前記除菌灯を制御するための制御手段とを含む、請求項１記載の風呂システム。
【請求項４】
前記除菌灯は、点灯期間および消灯期間を繰り返すように間欠的に点灯され、
前記制御装置は、
前記循環ポンプを作動させた状態での前記循環流量を検出するための第１の検出手段と、
前記浴槽水量を検出するための第２の検出手段と、
前記第２の検出手段によって検出された前記浴槽水量に対する前記第１の検出手段によって検出された前記循環流量の比率が高いほど、点灯期間長および消灯期間長の和に対する前記点灯期間長の比率を低下するように前記除菌灯を制御するための制御手段とを含む、請求項１記載の風呂システム。
【請求項５】
前記制御装置は、ユーザによる時刻指定入力に従って前記除菌運転を終了させるとともに、前記除菌運転の終了までに一定時間長の制御サイクルを複数個設けるように前記除菌灯を制御し、
前記制御手段は、各前記制御サイクルにおける前記点灯期間長および前記消灯期間長の比率を制御する、請求項２〜４のいずれか１項に記載の風呂システム。
【発明の詳細な説明】
【技術分野】
【０００１】
この発明は風呂システムに関し、より特定的には、浴槽水の循環による除菌機能を有する風呂装置に関する。
【背景技術】
【０００２】
紫外線照射のためのＵＶ（Ultra  Violet）灯に代表される除菌灯によって、浴槽循環水を除菌するシステムが、特開平９−１６４０８９号公報（特許文献１）および特開平１０−５７５２号公報（特許文献２）等に記載されている。
【０００３】
特許文献１には、紫外線照射灯を配置した浴槽の循環装置において、運転開始初期には紫外線を数日間連続して照射する一方で、それ以降は、一定時間ごとに間欠的に紫外線を照射する制御が記載されている。また、特許文献２には、紫外線照射装置が配置された浴槽水の循環経路に、紫外線照射装置のバイパス経路と、紫外線照射装置の通流量を一定値以下に制御するためのバルブを配置する構成が記載されている。
【０００４】
さらに、特許第５３２６６５０号公報（特許文献３）には、熱交換器を含む循環経路における循環流量を、流量センサ等による直接的な検出器を用いることなく検出するための技術が記載されている。また、特公平１−３１１０６号公報（特許文献４）には、熱交換器を含む循環経路に接続された浴槽内の水量を、熱交換器による加熱を一定時間行った際における、熱交換器の入口側および出口側の湯温、ならびに、流量センサによって検出した循環流量から計算によって求める技術が記載されている。
【先行技術文献】
【特許文献】
【０００５】
【特許文献１】特開平９−１６４０８９号公報
【特許文献２】特開平１０−５７５２号公報
【特許文献３】特許第５３２６６５０号公報
【特許文献４】特公平１−３１１０６号公報
【発明の概要】
【発明が解決しようとする課題】
【０００６】
特許文献１および２のように、浴槽水の一部を循環させて紫外線照射の対象とする構成では、浴槽水のうちの循環される一部ずつが、紫外線照射によって雑菌数が減少された後、再び、浴槽内で紫外線照射されていない浴槽水と混合される。
【０００７】
したがって、浴槽水全体での雑菌数を所定レベル以下に抑制する観点に立つと、循環流量および／または浴槽内の水量が異なると、必要な紫外線の照射時間が変わってくることが考えられる。一方で、ＵＶ灯を含む除菌灯には、点灯時間に寿命が存在することが知られており、長寿命化の観点からは、除菌灯の点灯時間は、必要な除菌機能を確保できる範囲内で最小限に止めることが好ましい。
【０００８】
この発明はこのような問題点を解決するためになされたものであって、この発明の目的は、浴槽水の循環による除菌機能を有する風呂システムにおいて、除菌機能の確保と、除菌灯の長寿命化との両立を図ることである。
【課題を解決するための手段】
【０００９】
この発明のある局面では、風呂システムは、追焚循環路と、除菌灯と、循環ポンプと、制御装置とを備える。追焚循環路は、浴槽に設けられた吸込口および吐出口と接続されて浴槽水を循環するように構成される。除菌灯は、追焚循環路に含まれるように配置されて、点灯時に除菌効果を有する波長域の光線を照射する。循環ポンプは、追焚循環路に浴槽水を循環させる。制御装置は、除菌灯を用いて追焚循環路を通過する浴槽水を除菌するための除菌運転において、循環ポンプの作動および停止と、除菌灯の点灯および消灯とを制御する。除菌灯は、除菌運転中において、点灯時間に加えて消灯時間を設けることが可能であるように制御される。制御装置は、追焚循環路における浴槽水の循環流量と、浴槽内の浴槽水量との少なくとも一方に基づいて、循環流量が多いほど、または、浴槽水量が少ないほど、除菌運転中における除菌灯の点灯時間および消灯時間の和に対する点灯時間の比率を低下させるように除菌灯を制御する。
【００１０】
上記風呂システムによれば、風呂システムの設置環境（配管長、配管径および配置ルート等）に応じて変化する循環流量、および、ユーザの使用状況によって変化する浴槽水量の少なくとも一方に対応させて除菌灯の点灯時間および消灯時間の和に対する点灯時間の比率（点灯比率）を可変に制御することができる。したがって、想定される循環流量または浴槽水量において所望の効果が得られるように上記点灯比率を設定するとともに、当該想定量よりも循環流量が多いとき、または、浴槽水量が少ないときに、紫外線照射時間が過剰（すなわち、除菌灯の点灯時間）に長くなることを回避できる。この結果、除菌機能の確保と、除菌灯の長寿命化との両立を図ることができる。
【００１１】
好ましくは、除菌灯は、点灯期間および消灯期間を繰り返すように間欠的に点灯される。制御装置は、循環ポンプを作動させた状態での循環流量を検出するための第１の検出手段と、制御手段とを含む。制御手段は、第１の検出手段によって検出された循環流量に基づいて、循環流量が多いほど、点灯期間長および消灯期間長の和に対する点灯期間長の比率を低下するように除菌灯を制御する。
【００１２】
このように構成すると、一定水位を維持する運転モード（たとえば、風呂自動モード）を有する風呂システムのように浴槽水量の変動が小さいケース、あるいは、循環流量の検出精度と比較して浴槽水量の検出精度が低いケースにおいて、循環流量に応じて除菌灯の点灯時間の比率（点灯比率）を適切に制御することにより、除菌機能の確保と、除菌灯の長寿命化との両立を図ることができる。
【００１３】
また好ましくは、除菌灯は、点灯期間および消灯期間を繰り返すように間欠的に点灯される。制御装置は、浴槽水量を検出するための第２の検出手段と、制御手段とを含む。制御手段は、第２の検出手段によって検出された浴槽水量に基づいて、浴槽水量が少ないほど、点灯期間長および消灯期間長の和に対する点灯期間長の比率を低下するように除菌灯を制御する。
【００１４】
このように構成すると、ユーザの使用状況による浴槽水量の変化を反映して、除菌機能の確保と、除菌灯の長寿命化との両立を図ることができる。特に、浴槽水量の検出精度に対して循環流量の検出精度が低いケースにおいて、浴槽水量に応じて除菌灯の点灯時間の比率（点灯比率）を適切に制御することができる。
【００１５】
あるいは好ましくは、除菌灯は、点灯期間および消灯期間を繰り返すように間欠的に点灯される。制御装置は、第１および第２の検出手段と、制御手段とを含む。第１の検出手段は、循環ポンプを作動させた状態での循環流量を検出する。第２の検出手段は、浴槽水量を検出する。制御手段は、第２の検出手段によって検出された浴槽水量に対する第１の検出手段によって検出された循環流量の比率が高いほど、点灯期間長および消灯期間長の和に対する点灯期間長の比率を低下するように除菌灯を制御する。
【００１６】
このように構成すると、実際の浴槽水量に対する循環流量（すなわち、単位時間当たりでの除菌対象量）の比率に対応させて、除菌灯の点灯時間の比率（点灯比率）を適切に制御することができる。この結果、除菌機能の確保と、除菌灯の長寿命化との両立を図ることができる。
【００１７】
さらに好ましくは、制御装置は、ユーザによる時刻指定入力に従って除菌運転を終了させるとともに、除菌運転の終了までに一定時間長の制御サイクルを複数個設けるように除菌灯を制御する。そして、制御手段は、各制御サイクルにおける点灯期間長および消灯期間長の比率を制御する。
【００１８】
このように構成することにより、複数の制御サイクルを設けて、除菌灯を間欠的に点灯させることで延べ点灯時間の抑制を図る制御において、各制御サイクルにおける除菌灯の点灯比率を適切に制御することによって、除菌機能の確保と、除菌灯の長寿命化との両立を図ることができる。
【発明の効果】
【００１９】
この発明によれば、浴槽水の循環による除菌機能を有する風呂システムにおいて、除菌機能の確保と、除菌灯の長寿命化との両立を図ることができる。
【図面の簡単な説明】
【００２０】
【図１】本実施の形態に従う風呂システムを実現するための給湯システムの概略構成を示すブロック図である。
【図２】図１に示されたＵＶ灯の点灯および消灯を制御するための構成を説明するブロック図である。
【図３】本実施の形態に従う風呂システムにおけるＵＶ灯の制御を説明する概念的な波形図である。
【図４】循環流量に対する除菌効果の変化を説明するための概念的なグラフである。
【図５】浴槽水量に対する除菌効果の変化を説明するための概念的なグラフである。
【図６】本実施の形態に従う風呂システムにおけるＵＶ灯の点灯制御の第１の例を説明するフローチャートである。
【図７】点灯制御の第１の例における点灯比率の可変設定を説明するための概念図である。
【図８】本実施の形態に従う風呂システムにおけるＵＶ灯の点灯制御の第２の例を説明するフローチャートである。
【図９】点灯制御の第２の例における点灯比率の可変設定を説明するための概念図である。
【図１０】本実施の形態に従う風呂システムにおけるＵＶ灯の点灯制御の第３の例を説明するフローチャートである。
【図１１】点灯制御の第３の例における点灯比率の可変設定を説明するための第１の概念図である。
【図１２】点灯制御の第３の例における点灯比率の可変設定を説明するための第２の概念図である。
【発明を実施するための形態】
【００２１】
以下に、本発明の実施の形態について図面を参照して詳細に説明する。なお、以下では、図中の同一または相当部分には同一符号を付して、その説明は原則的に繰返さないものとする。
【００２２】
図１は、本実施の形態に従う風呂システムを実現するための給湯システムの概略構成を示すブロック図である。以下の説明で明らかになるように、本実施の形態に従う風呂システムは、給湯システムの一部機能によって実現することができる。
【００２３】
図１を参照して、給湯システム１は、給湯機能を実現するための給湯回路２と、風呂追焚機能を実現するための追焚循環回路３と、浴槽８への湯張り機能を実現するための注湯回路４と、ドレン処理回路５と、コントローラ１００と、リモートコントローラ２００（以下、単に「リモコン」とも称する）とを備える。
【００２４】
たとえば、給湯回路２、追焚循環回路３、注湯回路４およびドレン処理回路５は、給湯器１ａ内に配置されて、給湯器１ａと浴槽８との間は、配管３５ａ，３５ｂによって接続される。以下では、後程説明する追焚循環経路での通流方向に合わせて、配管３５ａを風呂戻り配管３５ａとも称し、配管３５ｂを風呂往き配管３５ｂとも称する。なお、以下では、浴槽８内に貯留された、通常浴用に適温の湯、および適温の湯が冷めて低温になった水の両者を包括して、単に「浴槽水」と称することとする。
【００２５】
本実施の形態に従う給湯システム１は、風呂の追焚機能に加え、給湯機能および風呂湯張り機能の各機能を併用する複合熱源機型に構成されたものである。特に、本実施の形態に従う風呂システムは、主に、給湯回路２と、追焚循環回路３と、コントローラ１００と、リモコン２００とによって構成することができる。また、後程詳細に説明するように、追焚循環回路３は、浴槽水の除菌機能を有するように構成されている。
【００２６】
給湯回路２は、バーナ２０と、給湯用の一次熱交換器２１および二次熱交換器２４とを含む。バーナ２０は、図示しない燃料供給系から流量調整弁を経由した燃料ガスの供給を受けて、燃焼作動するように構成される。
【００２７】
一次熱交換器２１は、バーナ２０の燃焼ガスの顕熱（燃焼熱）により入水（低温水）を熱交換によって加熱する。給湯回路２へは、入水路２２から水道水等が給水される。二次熱交換器２４は、たとえば、排気集合筒内に配設される。二次熱交換器２４は、バーナ２０からの燃焼排ガスの潜熱によって通流された低温水を熱交換によって加熱する。
【００２８】
入水路２２の低温水は、まず二次熱交換器２４によって予熱された後、一次熱交換器２１において主加熱される。一次熱交換器２１および二次熱交換器２４によって所定温度まで加熱された高温水は、入水路２２からバイパス弁２５を経由して非加熱とされた低温水と混合されて、出湯路２３から出湯される。たとえば、給湯システム１は、出湯路２３に出湯された湯が、台所や浴室等の給湯栓９や上記注湯回路４などの所定の給湯箇所に給湯されるように構成される。
【００２９】
入水路２２には、流量センサ２６や入水温度センサ２７が配置される。出湯路２３には、流量制御弁２８や給湯温度センサ２９が配置される。
【００３０】
追焚循環回路３は、バーナ３０と、追焚用の一次熱交換器３１および二次熱交換器３４と、追焚用の循環ポンプ３３と、ＵＶユニット７０とを含む。
【００３１】
バーナ３０は、バーナ２０と同様に、図示しない燃料供給系から燃料ガスを供給されることによって、燃焼作動する。なお、バーナ２０および３０は、図示しない電磁弁によって燃料ガスの供給を別個に制御可能とすれば、一体的に構成することも可能である。一次熱交換器３１は、バーナ３０の燃焼ガスの顕熱（燃焼熱）により通流された水を加熱する。二次熱交換器３４は、バーナ３０からの燃焼排ガスの潜熱によって通流された水を加熱する。
【００３２】
追焚循環回路３には、戻り回路３２ａおよび往き回路３２ｂが設けられる。戻り回路３２ａの上流端（すなわち、浴槽側）の接続口３２１に対して、風呂戻り配管３５ａの下流端が接続される。さらに、風呂戻り配管３５ａの上流端が、浴槽８に設置された循環アダプタ８１の吸込側（吸入口８５）に接続される。また、往き回路３２ｂの下流端（すなわち、浴槽側）の接続口３２２に対して、風呂往き配管３５ｂの上流端が接続される。風呂往き配管３５ｂの下流端は、循環アダプタ８１の吐出側（吐出口８６）に接続される。
【００３３】
循環ポンプ３３が作動すると、浴槽８からの浴槽水は、循環アダプタ８１の吸入口８５から、風呂戻り配管３５ａおよび戻り回路３２ａ、二次熱交換器３４および一次熱交換器３１、ならびに、往き回路３２ｂおよび風呂往き配管３５ｂを経由して、循環アダプタ８１の吐出口８６へ至る経路を循環する。これにより、浴槽８（循環アダプタ８１）と接続されて、一次熱交換器３１および二次熱交換器３４に浴槽水を循環通流させる「追焚循環経路」が形成される。このように、循環ポンプ３３が作動することによって、追焚循環経路に浴槽水が循環される。
【００３４】
追焚循環経路を通流する浴槽水は、二次熱交換器３４の通流により燃焼排ガスからの潜熱回収によって予熱された後、一次熱交換器３１の通流により主加熱される。追焚循環経路の循環水を、一次熱交換器３１および二次熱交換器３４で加熱することにより、追焚機能が実現される。
【００３５】
ＵＶユニット７０は、戻り回路３２ａにおいて、浴槽水が通流するように配置される。ＵＶユニット７０は、通流する浴槽水に紫外線を照射するためのＵＶ灯７１を内蔵する。すなわち、ＵＶ灯７１は、点灯時に除菌効果を有する波長域の光線（紫外線）を照射するように構成されており、「除菌灯」の一実施例に相当する。
【００３６】
ＵＶ灯７１は、循環ポンプの作動によって浴槽水が導入される追焚循環路に含まれるように配置されている。ＵＶユニット７０を通過する浴槽水は、ＵＶ灯７１の点灯時に紫外線照射によって除菌されることにより、雑菌数が低減する。ＵＶ灯７１を内蔵するＵＶユニット７０は、追焚循環経路上のいずれに配置されてもよいが、好ましくは、二次熱交換器３４よりも上流側に配置される。また、本実施の形態では、「除菌灯」としてＵＶ灯７１を例示するが、点灯時に除菌効果を有する波長域の光線を照射するものであれば、ＵＶ灯以外にも、蛍光灯や発光ダイオード（ＬＥＤ）等によって「除菌灯」を構成することも可能である。
【００３７】
戻り回路３２ａには、さらに、水流スイッチ３６および温度センサ３７が配置される。水流スイッチ３６は、所定流量を超えた通流があった場合にオンされる一方で、そうでない場合にはオフされる。温度センサ３７は、追焚循環経路での一次熱交換器３１および二次熱交換器３４の入側（通過前）での浴槽水の温度を検出するために配置される。
【００３８】
さらに、戻り回路３２ａには、浴槽８内の水位を測定するための水位センサ３８が配置される。水位センサ３８は、代表的には、水位に応じて戻り回路３２ａに生じた水圧を検出するための圧力センサによって構成される。なお、水位センサ３８は、後述する注湯路４１における注湯ユニット４２の下流側（浴槽側）に配置されてもよい。また、往き回路３２ｂには、温度センサ３９が配置される。温度センサ３９は、一次熱交換器３１および二次熱交換器３４による加熱後の浴槽水の温度（すなわち、浴槽８へ戻される湯温）を検出するために設けられる。
【００３９】
注湯回路４は、注湯路４１と、注湯ユニット４２とを含む。注湯路４１は、給湯回路２の出湯路２３から上流端が分岐される。注湯路４１は、注湯ユニット４２を経由して、追焚循環経路（戻り回路３２ａ上の合流点１０５）に合流するように配置される。注湯ユニット４２は、開閉切換により注湯の実行および遮断を切換えるための注湯電磁弁や縁切り弁等がユニット化されて構成される。注湯路４１に流量センサ４５を設けることにより、注湯回路４から浴槽８への供給流量を検出することができる。また、バーナ２０を非作動とした状態で注湯電磁弁を開放することにより、注湯回路４によって低温水（非加熱水）を浴槽８へ供給することも可能である。
【００４０】
ドレン処理回路５は、集水パン５１と、中和器６０と、ドレン排出路５５とを有する。ドレン処理回路５は、二次熱交換器２４，３４において燃焼排ガスが潜熱回収のための熱交換により冷やされて凝縮することにより生じたドレンを処理するために設けられる。ドレンは、酸性の水溶液である。
【００４１】
集水パン５１は、二次熱交換器２４，３４からドレンを集水するように構成される。中和器６０は、集水パン５１によって集水されたドレンに中和処理を施す。中和器６０による中和処理後のドレンは、ドレン排出路５５を経由して排水口へ導出される。
【００４２】
リモコン２００は、たとえば、台所の壁面および浴室内等に配設される。給湯システム１に対するユーザ指示は、リモコン２００の操作によって入力される。以下では、リモコン２００を用いて入力されたユーザ指示を「ユーザ入力指示」とも称する。
【００４３】
コントローラ１００は、給湯システム１がリモコン２００によって入力されたユーザ入力指示に従って運転されるように、各種センサによる検出値を用いて、給湯回路２、追焚循環回路３、および、注湯回路４の動作を制御する。各回路を構成する各機器は、コントローラ１００からの指令に応じて制御することができる。たとえば、コントローラ１００は、マイクロコンピュータやメモリ等を含んで構成することができる。
【００４４】
次に、図１に示した給湯システム１の動作について説明する。
まず、通常の給湯運転について説明する。給湯運転は、給湯栓９が開かれることにより、最低作動流量以上の通水流量が流量センサ２６により検知されることによって開始される。給湯運転が開始されると、バーナ２０の燃焼制御と、バイパス弁２５による高温水および低温水の混合比率制御とによって、リモコン２００により設定された設定給湯温度と出湯温度が同等となるように、給湯システム１が動作する。
【００４５】
また、リモコン２００から「風呂湯張り」が指示されると、注湯ユニット４２内の注湯電磁弁が開かれることにより、浴槽８への給湯運転が実行される。以下では、浴槽８への給湯運転について、給湯栓９からの給湯運転と区別するために、特に「注湯運転」とも称する。あるいは、「風呂自動モード」が指示された場合には、初期の湯張りのため、または、一定水位を維持するために注湯運転が実行される。風呂自動モードでは、湯張り完了後の浴槽水は、一定温度（風呂設定温度）に自動的に保温される。
【００４６】
注湯運転時には、出湯路２３から分岐供給される湯（高温水および低温水の混合）が、注湯路４１および追焚循環経路を経由して、浴槽８に注湯される。注湯運転は、水位センサ３８の出力に基づいて、浴槽８の水位が所定レベルになるまで継続される。
【００４７】
なお、注湯運転時には、循環ポンプ３３が停止された状態で、注湯回路４からの湯が、追焚循環路上の合流点１０５に供給される。このため、合流点１０５から戻り回路３２ａおよび配管３５ａを逆流して循環アダプタ８１の吸入口８５へ至る経路と、合流点１０５から一次熱交換器３１および二次熱交換器３４、および、往き回路３２ｂを経由して循環アダプタ８１の吐出口８６へ至る経路との両方から、浴槽８への注湯が行なわれる。
【００４８】
追焚運転は、湯張り後の風呂設定温度までの自動沸上げ、浴槽水を一定温度（風呂設定温度）に保温するための自動沸上げ、あるいはユーザからの追焚指令に基づく沸上げ等により開始される。追焚運転では、循環ポンプ３３が作動することにより、浴槽水が追焚循環路を循環する。さらに、バーナ３０の燃焼制御により、循環水は、温度センサ３７，３９による検出値に基づき、所定温度まで上昇させた上で浴槽８に再度供給される。
【００４９】
本実施の形態に従う風呂システムでは、ＵＶユニット７０を配置することによって、追焚循環経路を通流する浴槽水に対して除菌処理を実行することができる。当該除菌処理は、一次熱交換器３１および二次熱交換器３４による加熱の有無を問わず、すなわち追焚運転時以外であっても、循環ポンプ３３の作動およびＵＶ灯７１の点灯により実行することができる。以下では、除菌機能の確保とＵＶ灯７１の長寿命化とを両立するために、ＵＶ灯７１の点灯時間（紫外線照射時間）を適切化するための制御について説明する。
【００５０】
図２は、図１に示されたＵＶ灯７１の点灯および消灯を制御するための構成を説明するブロック図である。
【００５１】
図２を参照して、リモコン２００は、通信線２１０によって、コントローラ１００と接続される。通信線２１０は、代表的には、２芯の通信ケーブルによって構成することができる。
【００５２】
リモコン２００は、給湯システム１の運転をオンオフするための運転スイッチ２０２と、ユーザ入力指示を受けるための操作スイッチ２０３と、表示部２０５とを含む。運転スイッチ２０２および操作スイッチ２０３は、代表的には、プッシュボタンやタッチボタンによって構成することができる。表示部２０５は、代表的には、液晶パネルによって構成することができる。操作スイッチ２０３の一部または全部は、タッチパネル上に形成されるソフトスイッチによって構成されてもよい。
【００５３】
ユーザ入力指示は、給湯設定温度やふろ温度（湯張り温度）の指定、および、上述した、足し水、足し湯、追焚、風呂湯張り、および、風呂自動モード等の指令を含む。さらに、ＵＶユニット７０を搭載した給湯システム１では、ユーザ入力指示は、ＵＶ灯７１を用いた除菌運転のオンオフ指令を含む。除菌運転に関しては、浴槽の残り湯を翌朝の洗濯等に用いることを想定して、除菌終了時刻を指定するタイマー運転機能を設けることができる。この場合、ユーザ入力指示は、除菌終了時刻を含む。
【００５４】
コントローラ１００は、ユーザ入力指示に従って、除菌のためのＵＶ灯７１の点灯期間を設定する。除菌終了時刻が指定された除菌運転（タイマー除菌運転）では、当該除菌終了時刻において浴槽水の雑菌数を所定値以下となるように、ＵＶ灯７１の点灯期間は、コントローラ１００により自動的に設定される。
【００５５】
コントローラ１００は、循環ポンプ３３の作動および停止を指示するための制御信号Ｓｐｍと、ＵＶ灯７１の点灯および消灯を指示するための制御信号Ｓｐｓとを生成する。
【００５６】
循環ポンプ３３は、制御信号Ｓｐｍに従って作動または停止する。循環ポンプ３３には、回転数を検出するための回転数センサ４６が配置される。ＵＶ灯７１は、電源配線１１５への電源電圧Ｖｃの供給の有無に応じて点灯または消灯する。電源配線１１５には、コントローラ１００からの制御信号Ｓｐｓに従ってオンオフされる電源スイッチ１１０を経由して、電源電圧Ｖｃが供給される。
【００５７】
コントローラ１００は、回転数センサ４６の検出値から、循環ポンプ３３の回転数Ｎｐｍを取得することができる。さらに、コントローラ１００には、循環経路上に配置された、温度センサ３９による検出温度Ｔｃｏおよび水流スイッチ３６による検出信号Ｆｏｎ、および、水位センサ３８の出力信号等が入力される。
【００５８】
さらに、図１での構成例に加えて、追焚循環経路上に、循環流量Ｑｃｒを検出するための流量センサ３５を配置してもよい。但し、後述するように、循環ポンプ３３の作動時における循環流量Ｑｃｒは、温度センサ３９の検出温度の推移から計算によって求めることも可能である。この場合には、流量センサ３５の配置は必須ではない。
【００５９】
また、コントローラ１００は、水位センサ３８の出力信号（圧力検出値Ｐｃ）に基づいて、浴槽水位を検出することができる。さらに、浴槽水位と浴槽水量との対応関係を示す換算テーブルを予め作成することにより、コントローラ１００は、水位センサ３８による検出値に基づき、除菌運転時における浴槽８内の浴槽水の水量（以下、単に「浴槽水量」とも称する）Ｖｂｔを取得することが可能となる。たとえば、風呂システムの設置施工時に、浴槽８の形状を考慮して、当該換算テーブルを調整することができる。また、循環ポンプ３３の起動後には、水位センサ３８で検出される圧力値が、浴槽８内での水位によらず上昇する虞があるため、浴槽水量Ｖｂｔの検出は、循環ポンプ３３の起動前に実行することが好ましい。
【００６０】
図３は、本実施の形態に従う風呂システムにおけるＵＶ灯の点灯制御を説明する概念的な波形図である。
【００６１】
図３を参照して、タイマー除菌運転における、ＵＶ灯７１の点灯期間は、制御スイッチ１１０のオンオフにより、間欠的に繰り返し設けることができる。具体的には、Ｔ０の長さの非点灯期間と、Ｔ１の長さの点灯期間とのセットを１個の制御サイクルとして、除菌終了時刻に指定された時刻ｔｆにおいて最後の点灯期間が終了するように逆算して、複数の制御サイクルを設けることができる。
【００６２】
浴槽水内の雑菌数は、ＵＶ灯７１の非点灯期間では指数関数的に上昇する一方で、ＵＶ灯の点灯期間では減少する。したがって、予め設定された時刻における雑菌数を所定値以下に抑制する観点からは、ＵＶ灯７１を連続的に点灯するよりも、間欠的に点灯した方が、ＵＶ灯７１（除菌灯）の点灯時間を短縮することができる。
【００６３】
さらに、ＵＶ灯７１の点灯期間および非点灯期間（消灯期間）の和に対する点灯期間の比率（以下、「点灯比率」とも称する）を可変に制御することによって、除菌機能の確保とＵＶ灯７１（除菌灯）の長寿命化との両立が図られる。上記のように複数の制御サイクルが設けられる点灯制御では、各制御サイクルにおける点灯比率Ｔｏｎ＝Ｔ１／Ｔｃ＝Ｔ１／（Ｔ０＋Ｔ１）が可変に制御される。
【００６４】
図４および図５は、循環流量および浴槽水量に対する除菌効果の変化を説明するための概念的なグラフである。図４には、浴槽水量が一定の下でＵＶ灯７１を連続的に点灯したときの、循環流量Ｑｃｒの変化に対する経過時間と雑菌数との関係が示される。
【００６５】
図４を参照して、ＵＶ灯７１の点灯によって紫外線を連続的に照射すると、時間経過に従って雑菌数は徐々に減少する。ただし、浴槽水量が一定の下では、循環流量Ｑｃｒに応じて、雑菌数の減少ペースが異なる。具体的には、循環流量Ｑｃｒ、すなわち、ＵＶ灯７１の通過流量が多い程、単位時間当たりに紫外線照射の対象とできる浴槽水が増加するため、雑菌数の減少速度は高くなる。したがって、雑菌数を所定数Ｎｔ以下とするために必要な照射時間についても、循環流量Ｑｃｒが高い程短くなり、反対に、循環流量Ｑｃｒが低い程長く必要になることが理解される。
【００６６】
ここで、循環流量Ｑｃｒは、循環ポンプ３３のスペックが同一であっても、配管３５ａ，３５ｂの配管長、配管径および配置ルートによって変化する。したがって、設置環境の違いによって風呂システム毎に循環流量は個別の値となる。また、経年劣化（たとえば、配管等の詰まり）によって循環流量が低下する虞もある。
【００６７】
このため、循環流量の想定範囲の下限値においても十分な除菌機能が確保されるようにＵＶ灯７１の点灯を制御した場合には、循環流量が高い状況にある風呂システムでは、ＵＶ灯７１の点灯時間が過剰になることにより、寿命に悪影響が生じることが懸念される。
【００６８】
これに対して、図５には、循環流量が一定の下でＵＶ灯７１を連続的に点灯したときの、浴槽水量Ｖｂｔの変化に対する経過時間と雑菌数との関係が示される。
【００６９】
図５を参照して、ＵＶ灯７１の点灯によって紫外線を連続的に照射すると、時間経過に従って雑菌数は徐々に減少する。ただし、循環流量Ｑｃｒが一定、すなわち、単位時間当たりでの紫外線照射の対象量が同一の下では、浴槽水量Ｖｂｔに応じて、雑菌数の減少ペースが異なる。具体的には、循環流量Ｑｃｒが同じであれば、浴槽水量Ｖｂｔが少ない程、雑菌数の減少速度は高くなる。したがって、雑菌数を所定数Ｎｔ以下とするために必要な照射時間についても、浴槽水量Ｖｂｔが少ない程短くなり、反対に、浴槽水量Ｖｂｔが多い程長く必要になることが理解される。
【００７０】
このため、浴槽水量の基準量Ｖｒ（たとえば、風呂自動モードで維持される水位レベルでの浴槽水量）において十分な除菌機能が確保されるようにＵＶ灯７１の点灯を制御した場合には、浴槽水量が基準量よりも少ない状態での除菌運転が恒常的に行われると、ＵＶ７１の点灯時間が過剰になることにより、寿命に悪影響が生じることが懸念される。
【００７１】
したがって、本実施の形態に従う風呂システムでは、循環流量Ｑｃｒおよび浴槽水量Ｖｂｔの少なくとも一方に応じて、ＵＶ灯７１の点灯比率が制御される。
【００７２】
図６は、本実施の形態に従う風呂システムにおけるＵＶ灯の点灯制御の第１の例を説明するフローチャートである。図６に示された制御処理は、コントローラ１００によって実行することができる。
【００７３】
図６を参照して、コントローラ１００は、ステップＳ１００により、循環ポンプ３３の作動による追焚循環路の循環流量Ｑｃｒを取得する。たとえば、特許文献３と同様の手法により、循環ポンプ３３を作動した状態のままで、バーナ３０の燃焼によって一次熱交換器３１出力後の浴槽水温度（温度センサ３９）を所定温度までに上昇させた後に、バーナ３０の燃焼停止時における浴槽水温度（温度センサ３９）の温度低下挙動（代表的には、所定温度差だけ低下するまでの所要時間）に基づいて、循環流量Ｑｃｒを算出により取得することができる。
【００７４】
あるいは、循環ポンプ３３に対する電圧指令と、回転数センサ４６によって検出される循環ポンプ３３の回転数との対比から、循環ポンプ３３の負荷を推定することによって、循環流量Ｑｃｒを算出により取得することも可能である。この場合には、実機実験結果等により、循環ポンプ３３に対する所定の電圧指令入力時における、回転数実績値に対する循環流量の算出テーブルを予め作成することができる。また、追焚循環経路上に流量センサ３５（図２）が配置される場合には、ステップＳ１００では、当該流量センサによる検出値に基づいて、循環流量Ｑｃｒを取得することができる。
【００７５】
コントローラ１００は、ステップＳ１５０により、取得された循環流量Ｑｃｒに基づき、点灯比率Ｔｏｎを可変に設定する。
【００７６】
図７は、点灯制御の第１の例における点灯比率の可変設定を説明するための概念図である。
【００７７】
図７を参照して、図４で説明したように、雑菌数を一定数減少するために必要な紫外線照射時間は、循環流量Ｑｃｒが多い程短くなる一方で、循環流量Ｑｃｒが少ない程長くなる。したがって、ステップＳ１５０では、制御サイクルにおける点灯比率Ｔｏｎ（Ｔｏｎ＝Ｔ１／Ｔｃ）について、循環流量Ｑｃｒが多い程低くなる一方で、循環流量Ｑｃｒが少ない程高くなるように設定する。図７中の最大値Ｔｍ１は、循環流量Ｑｃｒの想定範囲での下限値Ｑ０において、所望の除菌効果を得るための値に設定することができる。したがって、Ｑｃｒ＞Ｑ０のとき、点灯比率Ｔｏｎは最大値Ｔｍ１よりも低く設定される。
【００７８】
再び、図６を参照して、コントローラ１００は、ステップＳ２００により、ステップＳ１５０で循環流量Ｑｃｒに基づいて設定された点灯比率Ｔｏｎに従って、１個の制御サイクル内での点灯期間および非点灯期間が設けられるように、制御信号Ｓｐｓを生成する。
【００７９】
このようにＵＶ灯７１の点灯比率（Ｔ１／Ｔｃ）を循環流量Ｑｃｒに応じて可変に制御することにより、循環流量Ｑｃｒの想定範囲での下限値において十分な除菌効果を得るとともに、循環流量Ｑｃｒが当該下限値Ｑ０よりも多い環境に設置された風呂システムでは、紫外線照射時間（すなわち、除菌灯の点灯時間）が過剰に長くなることを回避できる。
【００８０】
上述のように、循環流量Ｑｃｒは、風呂システムの設置環境（配管長、配管径および配置ルート等）に応じて変化する一方で、浴槽水量Ｖｂｔについては自動風呂運転の適用による一定水位の維持制御等によって略一定であることも多い。このため、図６のような循環流量Ｑｃｒに応じた点灯比率の制御によっても一定の効果が期待できる。また、循環流量の検出精度と比較して浴槽水量の検出精度が低いケースにおいて、効果を得ることができる。
【００８１】
なお、図６に示した制御処理は、除菌運転の開始時に実行することができる。この場合は、当該制御処理によって設定された点灯比率Ｔｏｎが、当該除菌運転での各制御サイクルにおいて共通に用いられる。あるいは、各制御サイクルの開始時に図６に示した制御処理を実行して、制御サイクル毎に点灯比率Ｔｏｎを設定してもよい。また、経年劣化による変化のみに対応する場合には、一定期間の経過毎（日／週／月毎）に図６の制御処理を実行して、当該一定期間内では点灯比率Ｔｏｎの値を維持するようにしてもよい。
【００８２】
図８は、本実施の形態に従う風呂システムにおけるＵＶ灯の点灯制御の第２の例を説明するフローチャートである。図８に示された制御処理は、コントローラ１００によって実行することができる。
【００８３】
図８を参照して、コントローラ１００は、ステップＳ１１０により、浴槽水量Ｖｂｔを取得する。たとえば、上述のように、水位センサ３８の出力信号（圧力検出値Ｐｃ）に基づいて、浴槽水量Ｖｂｔを取得することができる。
【００８４】
あるいは、循環流量が既知である場合には、特許文献４と同様に、平衡状態からバーナ３０を一定時間Ｔｔ燃焼させた際における、追焚循環経路における温度上昇量ΔＴ１（温度センサ３７および３９の検出温度差）と、浴槽水温度（温度センサ３７）の一定時間経過前後での温度上昇量ΔＴ２と、循環流量Ｑｃｒおよび浴槽水量Ｖｂｔに下記（１）式が成立することから、計算によって浴槽水量Ｖｂｔを求めることも可能である。
【００８５】
ΔＴ１×Ｔｔ×Ｑｃｒ＝ΔＴ２×Ｖｂｔ
Ｖｂｔ＝（ΔＴ１／ΔＴ２）×Ｔｔ×Ｑｃｒ          …（１）
コントローラ１００は、ステップＳ１６０により、取得された浴槽水量Ｖｂｔに基づき、点灯比率Ｔｏｎを可変に設定する。
【００８６】
図９は、点灯制御の第２の例における点灯比率の可変設定を説明するための概念図である。
【００８７】
図９を参照して、図５で説明したように、雑菌数を一定数以下に減少するために必要な紫外線照射時間は、浴槽水量Ｖｂｔが少ない程短くなる一方で、浴槽水量Ｖｂｔが多い程長くなる。したがって、ステップＳ１６０では、制御サイクルにおける点灯比率Ｔｏｎ（Ｔｏｎ＝Ｔ１／Ｔｃ）について、浴槽水量Ｖｂｔが少ない程低くなる一方で、浴槽水量Ｖｂｔが多い程高くなるように設定する。図９中での、基準値Ｔｍ２は、浴槽水量の基準量Ｖｒにおいて所望の除菌効果を得ることが可能な値に設定することができる。Ｖｂｔ＞Ｖｒの領域では、点灯比率ＴｏｎはＴｍ２よりも高く設定される一方で、Ｖｂｔ＜Ｖｒの領域では、点灯比率ＴｏｎはＴｍ２よりも低く設定することができる。
【００８８】
再び、図８を参照して、コントローラ１００は、ステップＳ２００により、ステップＳ１６０で浴槽水量Ｖｂｔに基づいて設定された点灯比率Ｔｏｎに従って、１個の制御サイクル内での点灯期間および非点灯期間が設けられるように、制御信号Ｓｐｓを生成する。
【００８９】
このようにＵＶ灯７１の点灯比率（Ｔ１／Ｔｃ）を浴槽水量Ｖｂｔに応じて可変に制御することにより、浴槽水量Ｖｂｔの基準量Ｖｒにおいて十分な除菌効果を得るとともに、浴槽水量が少ない場合において紫外線照射時間（すなわち、除菌灯の点灯時間）が過剰に長くなることを回避できる。
【００９０】
さらに、残り湯の用途によっては、ユーザが意図的に浴槽水量を通常（通常の風呂水位相当）よりも増加することも想定されるが、この場合には、基準値Ｔｍ２よりも高い点灯比率Ｔｏｎが設定されることにより、必要な除菌機能を確保することができる。このように、図８のような浴槽水量Ｖｂｔに応じた点灯比率の制御によっても、除菌機能の確保と除菌灯（ＵＶ灯７１）の長寿命化との両立に対して、一定の効果が期待できる。特に、浴槽水量の検出精度と比較して循環流量の検出精度が低いケースにおいて、効果を得ることができる。
【００９１】
なお、図８に示した制御処理は、除菌運転の開始時に実行することができる。この場合は、当該制御処理によって設定された点灯比率Ｔｏｎが、当該除菌運転での各制御サイクルにおいて共通に用いられる。あるいは、図８に示した制御処理は、各制御サイクルの開始時に実行されて、制御サイクル毎に点灯比率Ｔｏｎを設定してもよい。
【００９２】
ここで、図４および図５の特性を総合すると、浴槽水量Ｖｂｔに対する、単位時間当たりでの除菌対象量（すなわち、循環流量Ｑｃｒ）の比率パラメータｋｊ（ｋｊ＝Ｑｃｒ／Ｖｂｔ）に応じて、雑菌数を所定数Ｎｔ以下とするために必要な照射時間（すなわち、除菌灯の点灯時間）を設定することが可能である。
【００９３】
このため、図１０に示すように、循環流量Ｑｃｒおよび浴槽水量Ｖｂｔの両方に基づいて、ＵＮ灯７１の点灯比率を設定することも可能である。
【００９４】
図１０は、本実施の形態に従う風呂システムにおけるＵＶ灯の点灯制御の第３の例を説明するフローチャートである。図１０に示された制御処理は、コントローラ１００によって実行することができる。
【００９５】
図１０を参照して、コントローラ１００は、図６と同様のステップＳ１００、および、図８と同様のステップＳ１１０により、循環流量Ｑｃｒおよび浴槽水量Ｖｂｔを取得する。
【００９６】
なお、上述のように、水位センサ３８（圧力センサ）の検出値を用いて浴槽水量Ｖｂｔを算出する場合には、ステップＳ１００の処理は、循環ポンプ３３の起動前に実行することが好ましい。したがって、この場合には、ステップＳ１１０は、ステップＳ１００よりも先に実行される。
【００９７】
コントローラ１００は、ステップＳ１７０により、循環流量Ｑｃｒおよび浴槽水量Ｖｂｔに基づいて、点灯比率Ｔｏｎを可変に設定する。たとえば、浴槽水量Ｖｂｔに対する、単位時間当たりの除菌対象量、すなわち、循環流量Ｑｃｒの比率パラメータｋｊに従って、点灯比率Ｔｏｎは設定される。
【００９８】
図１１は、点灯制御の第３の例における点灯比率の可変設定を説明するための第１の概念図である。
【００９９】
図１１を参照して、比率パラメータｋｊは、浴槽水量Ｖｂｔが多い程、また、循環流量Ｑｃｒが少ない程、低い値となる。したがって、ステップＳ１７０では、制御サイクルにおける点灯比率Ｔｏｎ（Ｔｏｎ＝Ｔ１／Ｔｃ）について、比率パラメータｋｊが低い値である程高くなる一方で、比率パラメータｋｊが高い値である程低くなるように設定する。図１１中の基準値Ｔｍ３は、浴槽水量Ｖｂｔの基準量Ｖｒ（図９）、および、循環流量Ｑｃｒの想定範囲での下限値Ｑ０の組み合わせにおける比率パラメータｋｒ（ｋｒ＝Ｑ０／Ｖｒ）において、所望の除菌効果を得るための値に設定することができる。すなわち、ｋｊ＜ｋｒの領域では、点灯比率ＴｏｎはＴｍ３よりも高く設定される一方で、ｋｊ＞ｋｒの領域では、点灯比率ＴｏｎはＴｍ３よりも低く設定することができる。
【０１００】
なお、浴槽水量Ｖｂｔによる除算によって算出される比率パラメータｋｊには、浴槽水量Ｖｂｔの検出誤差が大きく影響することが理解される。このため、比率パラメータｋｊによる設定に代えて、循環流量Ｑｃｒに応じた可変設定（図７）に対して、浴槽水量Ｖｂｔに応じた補正を加えるようにして、点灯比率Ｔｏｎを設定することも可能である。
【０１０１】
図１２は、点灯制御の第３の例における点灯比率の可変設定を説明するための第２の概念図である。
【０１０２】
図１２を参照して、点灯比率Ｔｏｎは、補正量ΔＴｏｎ＝０となる基本的なケースでは、図７と同様に、循環流量Ｑｃｒの増加に応じて点灯比率Ｔｏｎが低下するように、可変に設定することができる。たとえば、ΔＴｏｎ＝０のときの特性カーブ１５０は、浴槽水量Ｖｂｔが基準量Ｖｒ（図９）であるときに所望の除菌効果が得られるように、設定することができる。
【０１０３】
そして、基準量Ｖｒに対する検出された浴槽水量Ｖｂｔの差分ΔＶ（ΔＶ＝Ｖｂｔ−Ｖｒ）に基づいて、補正量ΔＴｏｎが設定される。浴槽水量Ｖｂｔが基準量Ｖｒよりも多い場合（ΔＶ＞０）には、補正量ΔＴｏｎは正に設定される一方で（ΔＴｏｎ＞０）、浴槽水量Ｖｂｔが基準量Ｖｒよりも少ない場合（ΔＶ＜０）には、補正量ΔＴｏｎは負に設定される（ΔＴｏｎ＜０）。また、差分の絶対値｜ΔＶ｜が大きいほど補正量の絶対値｜ΔＴｏｎ｜が大きく設定されるように、補正量ΔＶに対する補正量ΔＴｏｎの算出テーブルまたは算出式を予め作成することができる。
【０１０４】
そして、ステップＳ１７０では、循環流量Ｑｃｒに基づいて、特性カーブ１５０に従って設定された基本値を、浴槽水量Ｖｂｔに応じた補正量ΔＴｏｎの加算によって増減するように、点灯比率Ｔｏｎを設定することができる。
【０１０５】
あるいは、ステップＳ１７０では、基本値に対する補正係数ｋを導入して、基本値および補正係数ｋの乗算によって、点灯比率Ｔｏｎを設定することも可能である。この場合には、浴槽水量Ｖｂｔが基準量Ｖｒよりも多い場合（ΔＶ＞０）には、ｋ＞１．０に設定される一方で、浴槽水量Ｖｂｔが基準量Ｖｒよりも少ない場合（ΔＶ＜０）には、０＜ｋ＜１．０に設定するように、差分ΔＶに対する補正係数ｋの算出テーブルを予め作成することができる。このようにしても、等価的には比率パラメータｋｊを反映して点灯比率Ｔｏｎを設定することができる。
【０１０６】
再び、図１０を参照して、コントローラ１００は、ステップＳ２００により、ステップＳ１７０で循環流量Ｑｃｒおよび浴槽水量Ｖｂｔに基づいて設定された点灯比率Ｔｏｎに従って、１個の制御サイクル内での点灯期間および非点灯期間が設けられるように、制御信号Ｓｐｓを生成する。
【０１０７】
このように、浴槽水量Ｖｂｔおよび循環流量Ｑｃｒの両方を用いて、ＵＶ灯７１の点灯比率（Ｔ１／Ｔｃ）を可変に制御することにより、浴槽水量の大小、および、循環流量の大小に合せて適切な点灯比率Ｔｏｎを設定することができる。この結果、所望の除菌機能の確保と、紫外線照射時間（すなわち、除菌灯の点灯時間）が過剰に長くなることの回避とを両立することができる。
【０１０８】
なお、図１０に示した制御処理は、図８に示した制御処理と同様に、除菌運転の開始毎、または、各制御サイクルの開始時に実行することが可能である。
【０１０９】
以上説明したように、本実施の形態に従う風呂システムでは、浴槽水量Ｖｂｔおよび循環流量Ｑｃｒの少なくとも一方に応じて、ＵＶ灯７１の点灯比率を可変に設定することにより、必要とされる除菌機能に対してＵＶ灯７１の点灯時間が過剰に長くなることを回避できる。この結果、除菌効果の確保と、除菌灯の長寿命化との両立を図ることができる。
【０１１０】
上述のように、浴槽水量Ｖｂｔおよび循環流量Ｑｃｒの検出精度が高い場合には、図１０に示されたように、浴槽水量Ｖｂｔおよび循環流量Ｑｃｒの両方を用いて点灯比率Ｔｏｎを細密に制御することができる。しかしながら、センサ配置の事情等から、浴槽水量Ｖｂｔまたは循環流量Ｑｃｒのいずれかの検出精度が十分でない場合には、図６または図８に示されたように、浴槽水量Ｖｂｔおよび循環流量Ｑｃｒの一方に応じて点灯比率Ｔｏｎを制御することが好ましい。
【０１１１】
図６、図８および、図１０に例示した制御処理において、ステップＳ１００およびＳ１１０での処理により「第１の検出手段」および「第２の検出手段」の機能を実現することができる。また、ステップＳ１５０，Ｓ１６０，Ｓ１７０での処理により「制御手段」の機能を実現することができる。
【０１１２】
なお、ステップＳ１５０，Ｓ１６０，Ｓ１７０での処理において、点灯比率の上限値は、１００（％）に設定されてもよい。この場合には、各制御サイクルでの点灯比率が１００（％）に設定されると、結果として、除菌灯は、除菌運転中に連続的に点灯されることになる。
【０１１３】
また、本実施の形態では、除菌運転中に複数の制御サイクルが設けられるように除菌灯の点灯が制御される例を説明したが、周期的な制御サイクルを設けない制御が適用された場合についても、除菌運転中には、制御スイッチ１１０のオンオフ制御によって除菌灯の点灯期間に加えて、消灯期間（非点灯期間）を設けることができるので、除菌灯の点灯比率（たとえば、ユーザ指定された除菌終了時刻に終了するように設定された全運転期間長に対する点灯期間の比）を、上記と同様に循環流量Ｑｃｒおよび浴槽水量Ｖｂｔの少なくとも一方に基づいて可変に制御することが可能である。なお、点灯比率の上限値は、１００（％）に設定されてもよい。
【０１１４】
また、本実施の形態では、ユーザが除菌終了時刻を指定するタイマー運転での制御を説明したが、タイマー運転によらず、単純にユーザのオンオフ指令に従って除菌運転を開始および終了する場合にも、本発明の適用は可能である。たとえば、除菌運転が開始されると、制御サイクル単位での除菌灯の点灯および消灯の制御を、除菌運転が終了されるまで繰り返す態様とすれば、各制御サイクルでの点灯比率について、本実施の形態と同様に制御することが可能である。この場合にも、各制御サイクルでの点灯比率の上限値は、１００（％）に設定されてもよい。
【０１１５】
さらに、本実施の形態に従う風呂システムの構成について、図１に示された構成は例示に過ぎないことについて、確認的に記載する。すなわち、循環ポンプの作動によって浴槽水が導入される追焚循環経路内に除菌灯が配置された構成を有する風呂システムであれば、本実施の形態およびその変形例で説明した、紫外線照射による除菌運転を適用して、除菌効果の確保と、除菌灯の長寿命化との両立を図ることができる。
【０１１６】
たとえば、除菌灯は、追焚循環路の一部として設けられたバイパス路に配置されてもよく、さらには、当該バイパス路に配置された除菌灯への浴槽水の通流をオンオフするための制御要素（電磁開閉弁等）が当該バイパス路内またはバイパス路外に配置された構成であってもよい。すなわち、追焚循環路の循環ポンプ３３の作動によって、除菌灯が設けられた流路（バイパス路を含む）に浴槽水を導入可能に構成されていれば、除菌灯が追焚循環路に含まれるように配置されており、本発明の適用が可能である。
【０１１７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１８】
１  給湯システム、１ａ  給湯器、２  給湯回路、３  追焚循環回路、４  注湯回路、５  ドレン処理回路、８  浴槽、９  給湯栓、２０，３０  バーナ、２１，３１  一次熱交換器、２２  入水路、２３  出湯路、２４，３４  二次熱交換器、２５  バイパス弁、２６，３５，４５  流量センサ、２７  入水温度センサ、２８  流量制御弁、２９  給湯温度センサ、３２ａ  戻り回路、３２ｂ  往き回路、３３  循環ポンプ、３５ａ，３５ｂ  配管、３６  水流スイッチ、３７，３９  温度センサ、３８  水位センサ、４１  注湯路、４２  注湯ユニット、４６  回転数センサ、５１  集水パン、５５  ドレン排出路、６０  中和器、７０  ＵＶユニット、７１  ＵＶ灯、８１  循環アダプタ、８５  吸入口、８６  吐出口、１００  コントローラ、１０５  合流点、１１０  電源スイッチ、１１５  電源配線、１５０  特性カーブ、２００  リモートコントローラ、２０２  運転スイッチ、２０３  操作スイッチ、２０５  表示部、２１０  通信線、３２１，３２２  接続口、Ｎｔ  所定数、Ｐｃ  圧力検出値（水位センサ）、Ｑ０  下限値（循環流量）、Ｑｃｒ  循環流量、Ｓｐｍ  制御信号（循環ポンプ）、Ｓｐｓ  制御信号（ＵＶ灯）、Ｔｃｏ  検出温度、Ｔｍ１  最大値（点灯比率）、Ｔｍ２，Ｔｍ３  基準値（点灯比率）、Ｔｏｎ  点灯比率（ＵＶ灯）、Ｖｂｔ  浴槽水量、Ｖｃ  電源電圧、Ｖｒ  基準量（浴槽水量）、ｋｊ  比率パラメータ（循環流量／浴槽水量）、ｔｆ  除菌運転終了時刻。
【図１】
2018054180.tif 000003
【図２】
2018054180.tif 000004
【図３】
2018054180.tif 000005
【図４】
2018054180.tif 000006
【図５】
2018054180.tif 000007
【図６】
2018054180.tif 000008
【図７】
2018054180.tif 000009
【図８】
2018054180.tif 000010
【図９】
2018054180.tif 000011
【図１０】
2018054180.tif 000012
【図１１】
2018054180.tif 000013
【図１２】
2018054180.tif 000014